(57)【要約】【課題】ＣＤＭＡ方式における信号復調装置を提供すること。【解決手段】  ＣＤＭＡ方式における信号復調において，ユーザ数Ｎ個の演算部を用い，各タップゲインを並列的に行う第１計算部と，ＭＦ値とＤＥＣ値の線形結合を初期値として計算する第２計算部と，更新前の解（Cd0）と更新後の解(Cd1)からr(Cd0)+(1-r)(Cd1)を計算した結果を用いて，逐次的に計算する第３計算部と，タップゲインＣを決める第４計算部と，あるビット時間の送信信号強度Piに対し第４計算部により計算されたタップゲインCdiを用いて数式２を算出し，その後，ある信号復調対象ユーザの信号強度Piが変わったとき，数式３で算出されるタップゲインCdiと前のタップゲインからの変化量がある所定の基準を超えた場合に，タップゲインCdiをBi/(Rii+s2/Pi)に計算する第５計算部とから構成される信号復調装置が提供される。【選択図】    図１
2007201832.tif 000002
【特許請求の範囲】
【請求項１】
ＣＤＭＡ方式における信号復調において：
(Rii+σ2/Pi)Cdi=δid-Σj≠i RijCdj,i=1,..,N
・・・(数式１)
ここでRiiは相互相関関数，σはガウシアンノイズの分散，Piはユーザ数Ｎにおける各ユーザの信号強度，ｄは信号復調対象ユーザ，jはユーザ数Ｎにおけるあるユーザを示す。
ユーザ数Ｎ個の演算部を用い，復調ビット情報の誤差の二乗を最小にし各ユーザのビット情報を符号化するための各信号復調対象ユーザのタップゲインを並列的に計算する第１計算部と；
自己の符号だけで復号する場合にとる値と各ユーザの信号強度に依存せず復号する場合にとる値との線形結合を初期値として計算する第２計算部と；
更新前の解（Cd0）と更新後の解(Cd1)からr(Cd0)+(1-r)(Cd1)を計算した結果を用いて，rを繰り返しのたびに更新し逐次的に計算する第３計算部と；
前記第１計算部と前記第２計算部と第３計算部とを経てタップゲインＣdiを計算する第４計算部と；
あるビット時間の送信信号強度Piに対し第４計算部により計算されたタップゲインＣdiを用いて，
Bi=[δid-Σj≠dRijCdj]
・・・（数式２）
前記数式２を算出し，その後，ある信号復調対象ユーザの信号強度Piが変わったとき，以下数式３で算出されるタップゲインCdiと前のタップゲインからの変化量がある所定の基準を超えた場合に，タップゲインCdiをBi/(Rii+σ2/Pi)に計算する第５計算部と；
Bi/(Rii+σ2/Pi)
・・・（数式３）
を含むことを特徴とする，信号復調装置。
【請求項２】
ＣＤＭＡ方式における信号復調において：
b’(m+1)=sgn[y-(C-E)b’(m)]
・・(数式４)
ここで，b’(m)はm段目に推定されたビット情報(１段目は通常，b’(1)=0)，yは各ユーザのタップゲインを示し，Ｃは各ユーザの相互相関行列を示し，Ｅは各ユーザの信号強度を示す，
前記数式４から得られた信号復調対象ユーザのビット情報b’より計算される絶対値abs[y-(C-E)b]，または前記絶対値を信号強度で割った値Aiがある所定の基準より小さい信号復調対象ユーザに対し，前記信号復調対象ユーザのビット情報を，数式５を満たすようにＭＬ法で計算する計算部と；
を含むことを特徴とする，信号復調装置。
【数１】
2007201832.tif 000007
ここでbp(i)は各ユーザのビット情報を示し，Ｃp(i)は各ユーザの相互相関行列を示し，ｙp(i)は各ユーザのタップゲインを示しbp(i)，j=N+1,..,Ｋの値はマルチステージデテクターで計算した結果を用いる。Ｎは前記Aiがある所定の基準より小さい信号復調対象ユーザ数を示し，Ｋは全ユーザ数を示す。
【発明の詳細な説明】
【技術分野】
【０００１】
本発明は，ＣＤＭＡ（Ｃｏｄｅ Ｄｉｖｉｓｉｏｎ Ｍｕｌｔｉｐｌｅ Ａｃｃｅｓｓ）方式における信号復調装置に関する。
【背景技術】
【０００２】
従来，ＣＤＭＡ方式における復調対象ユーザの信号に対する復調対象ユーザ以外の信号の干渉を減ずるため，十分統計量（ｓｕｆｆｉｃｉｅｎｔ ｓｔａｔｉｓｔｉｃｓ）に対する係数（以下，タップゲイン）は以下の数式６で与えるものであった。つまりタップゲインは復調ビット情報の誤差の二乗(以後，ＭＳＥ：Ｍｅａｎ Ｓｑｕａｒｅｄ Ｅｒｒｏｒ)を最小にし各ユーザのビット情報を符号化する係数を示す。
【０００３】
[R+diag(σ2/Pi)]-1
・・・(数式６)
ここでＲは相互相関行列，diag(ai)はaiを成分とする対角行列，σはガウシアンノイズの分散，Piはあるユーザiの送信信号強度を示す。
【０００４】
しかし，上記の方法では，ユーザ数をＮとすると，信号の送信信号強度が変化するたびに，Ｎ×Ｎ行列Ａの逆行列Ａ-1を計算する必要がある。よって上記計算は，Ｎ2程度以上の演算時間を必要とする問題があった。
【０００５】
たとえば，最も演算時間の少ない行列ＡのＣｈｏｌｅｓｋｙ分解を使う場合，ユーザi=1,..,Nに対し，以下の数式７を計算する必要がある。この計算では，前の計算結果が次の計算に必要で逐次的に演算しなければならず，Ｎ3程度の演算時間を要する。
【０００６】
【数１】
2007201832.tif 000003
【０００７】
また，ＣＤＭＡ方式における信号復調方法は非特許文献２の第７８３ページ，（６）式で示されるマルチステージデテクターがあり，ＣＤＭＡ方式における複数ユーザのビット情報ｂを以下の数式４に従い，復調するものであった。
【０００８】
b’(m+1)=sgn[y-(C-E)b’(m)]
・・・（数式４）
ここで，b’(m)はm段目に推定されたビット情報(１段目は通常，b’(1)=0)，yは各ユーザのタップゲインを示し，Ｃは各ユーザの相互相関行列を示し，Ｅは各ユーザの信号強度を示す。
【０００９】
しかし，上記数式４のマルチステージデテクターによる信号復調方法では，y-(C-E)b’(m)の絶対値，abs[y-(C-E)b’(m)]がある所定の基準より小さい場合，そのユーザのb’(m+1)の推定に誤りが生じることが多いという問題点があった。
【００１０】
また，非特許文献２の第７８２ページ，(４)式で復調する方法(以下数式８参照，ML法：Ｍａｘｉｍｕｍ Ｌｉｋｅｌｉｈｏｏｄ)はマルチステージデテクターより性能が格段に良いが，計算時間がユーザ数Ｋに対して，指数的に増えるという問題点があった。
【００１１】
【数２】
2007201832.tif 000004
【００１２】
【非特許文献１】ＩＥＥＥ  ＴＲＡＮＳＡＣＴＩＯＮＳ  ＯＮ  ＩＮＦＯＲＭＡＴＩＯＮ  ＴＨＥＯＲＹ，ＶＯＬ．４１，ＮＯ．４，Ｐ９４４−９６０
【非特許文献２】ＩＥＥＥ  ＴＲＡＮＳＡＣＴＩＯＮＳ  ＯＮ  ＣＯＭＭＵＮＩＣＡＴＩＯＮＳ，ＶＯＬ．４４，ＮＯ．３，Ｐ７８２−７８５
【発明の開示】
【発明が解決しようとする課題】
【００１３】
そこで，本発明は，上記問題に鑑みてなされたものであり，本発明の目的とするところは，可能な，新規かつ改良されたＣＤＭＡ方式におけるタップゲイン算出の演算時間を減じる信号復調装置を提供することにある。
【００１４】
また，本発明は，上記問題に鑑みてなされたものであり，本発明の目的とするところは，可能な，新規かつ改良されたマルチステージデテクターだけでは上記数式４において絶対値abs[y-(C-E)b’(m)]またはその絶対値を信号強度で割った値Aiがある所定の基準より小さい復調対象ユーザのビット情報を，ＭＬ法で算出することによってビット情報の判別精度を上げる信号復調装置を提供することにある。
【課題を解決するための手段】
【００１５】
上記課題を解決するために，本発明の第１の観点によれば，ＣＤＭＡ方式における信号復調において，
(Rii+σ2/Pi)Cdi=δid-Σj≠i RijCdj    ,i=1,..,N
・・・(数式１)
ここでRiiは相互相関関数，σはガウシアンノイズの分散，Piはユーザ数Ｎにおける各ユーザの信号強度，ｄは信号復調対象ユーザ，jはユーザ数Ｎにおけるあるユーザを示す。
ユーザ数Ｎ個の演算部を用い，復調ビット情報の誤差の二乗を最小にし各ユーザのビット情報を符号化するための各信号復調対象ユーザのタップゲインを並列的に計算する第１計算部と，自己の符号だけで復号する場合にとる値と各ユーザの信号強度に依存せず復号する場合にとる値との線形結合を初期値として計算する第２計算部と，更新前の解（Cd0）と更新後の解(Cd1)からr(Cd0)+(1-r)(Cd1)を計算した結果を用いて，rを繰り返しのたびに更新し逐次的に計算する第３計算部と，上記第１計算部と上記第２計算部と第３計算部とを経てタップゲインＣdiを計算する第４計算部と，あるビット時間の送信信号強度Piに対し第４計算部により計算されたタップゲインＣdiを用いて，
Bi=[δid-Σj≠dRijCdj]
・・・（数式２）
上記数式２を算出し，その後，ある信号復調対象ユーザの信号強度Piが変わったとき，以下数式３で算出されるタップゲインCdiと前のタップゲインからの変化量がある所定の基準を超えた場合に，タップゲインCdiをBi/(Rii+σ2/Pi)に計算する第５計算部とを含むことを特徴とする。
Bi/(Rii+σ2/Pi)
・・・（数式３）
【００１６】
その結果，本発明の第１の観点にかかるによれば，ＣＤＭＡにおけるタップゲイン算出の演算時間をユーザ数Ｎの場合，Ｎの数倍程度におさえることができる。
【００１７】
上記課題を解決するために，本発明の第２の観点によれば，ＣＤＭＡ方式における信号復調において，
b’(m+1)=sgn[y-(C-E)b’(m)]
・・(数式４)
ここで，b’(m)はm段目に推定されたビット情報(１段目は通常，b’(1)=0)，yは各ユーザのタップゲインを示し，Ｃは各ユーザの相互相関行列を示し，Ｅは各ユーザの信号強度を示す。上記数式４から得られた信号復調対象ユーザのビット情報b’より計算される絶対値abs[y-(C-E)b]，または上記絶対値を信号強度で割った値Aiがある所定の基準より小さい信号復調対象ユーザに対し，上記信号復調対象ユーザのビット情報を，数式５を満たすようにＭＬ法で計算する計算部とを含むことを特徴とする信号復調装置が提供される。
【数３】
2007201832.tif 000005
ここでbp(i)は各ユーザのビット情報を示し，Ｃp(i)は各ユーザの相互相関行列を示し，ｙp(i)は各ユーザのタップゲインを示しbp(i)，j=N+1,..,Ｋの値はマルチステージデテクターで計算した結果を用いる。Ｎは上記Aiがある所定の基準より小さい信号復調対象ユーザ数を示し，Ｋは全ユーザ数を示す。
【００１８】
その結果，本発明の第２の観点にかかるによれば，マルチステージデテクターだけでは数式４において絶対値abs[y-(C-E)b’(m)]またはその絶対値を信号強度で割った値Aiがある所定の基準より小さい復調対象ユーザのビット情報を，ＭＬ法で算出することによってビット情報の判別精度を上げることができる。
【発明の効果】
【００１９】
以上説明したように本発明によれば，ＣＤＭＡにおけるタップゲイン算出の演算時間をユーザ数Ｎの場合，Ｎの数倍程度におさえることができる。
【００２０】
また，本発明によればマルチステージデテクターだけでは数式４において絶対値abs[y-(C-E)b’(m)]またはその絶対値を信号強度で割った値Aiがある所定の基準より小さい復調対象ユーザのビット情報を，ＭＬ法で算出することによってビット情報の判別精度を上げることができる。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
ここでは，ＣＤＭＡの前提条件として，タイミングが同期的，ｃｈｉｐ数がＭ，ｉ番目のユーザのコードをSki, k=1,..,Mとすると，その相互相関係数Rij=Σk SkiSkjが既知，各ユーザ信号の送信信号強度Pi，及び，ガウシアンノイズの分散σ，が既知の場合を扱う。また，タップゲインをCijとする。
【００２３】
上記数式１はＭＳＥ（Ｍｅａｎ Ｓｑｕａｒｅｄ Ｅｒｒｏｒ）を最小にするようなタップゲインＣの値である（ＭＭＳＥ法）。本明細書で開示する方法は，Ｎ×Ｎ次元の逆行列を計算せず，Ｎの数倍程度の演算時間で，近似ではあるが実用性のあるタップゲインＣを得ることを目的とする。
【００２４】
受け取ったシグナルはxk=Σi SkiPi1/2bi +nk ,k=1,..,Mとなる。ここでbiはユーザｉのビット情報，nkはガウシアンノイズを示す。復調対象ユーザｄのビットは，十分統計量（ｓｕｆｆｉｃｉｅｎｔ ｓｔａｔｉｓｔｉｃｓ）yi=Σk Skixk=Σj RijPj1/2bj+Σk Skink, i=1,..NにＣをかけ，sgn(Σi Cdiyi)で決定する。
【００２５】
復調対象ユーザｄのＭＳＥは非特許文献１より以下の数式９となる。
【００２６】
MSE×Pd= Pd(1-Σi CdiRid)2  + Σj≠d Pj(Σi CdiRij)2+ σ2(Σi,j CdiRijCdj)
・・・（数式９）
【００２７】
上記数式９においてCdiで変分をとることにより，以下数式１０を導くことができる。
【００２８】
(R)×diag(Pi)×(R)(Cd) + σ2(R)(Cd)= (Rd)Pd
・・・（数式１０）
ここで，(Cd)，(Rd)は(Cd1, Cd2,.., CdN)T，(Rd1, Rd2,.., RdN)Tを表す。
【００２９】
上記数式１０において両辺に(R)-1を掛けると，ｉ番目の成分は以下数式１１を導くことができる。
【００３０】
[(R)(Cd)]i + (σ2/Pi)Cdi= δid
・・・（数式１１）
【００３１】
上記数式１１の方程式の正式な解が数式１になる。
【００３２】
以下に上記本発明における第１および第２の実施形態を記述していくが図１においても複数ユーザ信号から抽出対象ユーザのビット情報を算出するフローチャートを示す。
【００３３】
（第１の実施形態）
まず，本発明の第１の実施形態にかかるＣＤＭＡ方式における信号復調方法について説明する。以下の説明では方程式１１をＮの数倍程度の演算時間で近似的に解く方法とその結果を具体例を用いて示す。
【００３４】
上記数式１１をまず以下数式１２に変換する。
【００３５】
(Rii+σ2/Pi)Cdi= δid-Σj≠i RijCdj  ,i=1,..,N
・・・（数式１２）
【００３６】
上記数式１２の右辺に初期値Cdiを与え，左辺のCdiを計算する。そして上記計算を繰り返す。右辺の計算はＮ個の演算部を用いれば，各ｉに対し並列的に行うことができ，Ｎの演算時間で済む。(Ｓ１０１)
【００３７】
上記数式１２において，収束の早さは初期値の取り方と次に右辺に入れるＣの決め方による。初期値としてはたとえば以下数式１３の自己の符号だけで復号する場合にとるＭＦ（Ｍａｔｃｈｅｄ Ｆｉｌｔｅｒ）の値か以下数式１４の各ユーザの信号強度に依存せず復号する場合にとるＤＥＣ（ＤＥＣｏｒａｔｏｒ）の値が考えられる。(Ｓ１０２)
【００３８】
CdiMF=δid[1/(Rii+σ2/Pi)]
・・・（数式１３）
【００３９】
CdiDEC=(R)-1di
・・・（数式１４）
【００４０】
以下にＣＤＭＡにおける信号復調方法におけるビット決定の手順を示す。
【００４１】
（ビット決定手順）
まず，記憶されている(R)，(Cd)，Piとσを用い，Ｎ個の演算部を用い，各ｉに対し並列的に以下数式１５を計算し，その結果を前とは別の(Cd)の記憶部に記録する。（Ｓ１０１/Ｓ１０２/Ｓ１０４）
[δid-Σj≠iRijCdj]/(Rii+σ2/Pi)
・・・（数式１５）
【００４２】
前の(Cd0)と新しい(Cd1)から数式１５に代入する(Cd)を決め，数式１５の計算を数回繰り返す。（Ｓ１０１/Ｓ１０３/Ｓ１０４）
【００４３】
（Ｓ１０５）
最後にΣi Cdiyiを計算し，その符号からビットを決定する。
【００４４】
（効果）
上記手順から明らかなように全手順の演算時間はユーザ数Ｎの数倍程度で済む。以下では，信号復調方式の性能を示すビット誤り率のＭＳＥに対する結果をＭＭＳＥ法，ＭＦ法，ＤＥＣ法の結果と比較する。
【００４５】
復調対象ユーザの信号強度を１とし，S/N比を１０ｄｂとした。また，ユーザ数Ｎを１００とし，他ユーザの信号強度を，対数平均０，対数分散４ｄｂの対数正規分布を用いて決めた。チップ数を１５０とし，（Ｒ）とｎｋは擬ランダム符号を用いて作った。初期値を数式１３，数式１４を用いて以下の数式１６とする。
【００４６】
0.4CdiMF+0.6CdjDEC
・・・（数式１６）
【００４７】
繰り返し回数を１５とし，上記数式１５に代入する(Cd)として以下数式１７の値を選択し，1回目のｒを０．６とし，一回増すごとにｒを０．０３５減らした。
【００４８】
r(Cd0)+(1-r)(Cd1)
・・・（数式１５）
【００４９】
上記演算を５０回行ったがＭＳＥはすべて収束する方向に向かった。典型的な例を次に示す。ＭＦ，ＤＯＣ，ＭＭＳＥ法のＭＳＥはそれぞれ0.1326e+01，0.1255e+00，0.8676e-01であった。
【００５０】
本実施形態の15回の繰り返しではＭＳＥは以下のようになった。
0.2751e+00，0.1602e+00，0.1466e+00，0.1340e+00，0.1230e+00，0.1144e+00，0.1078e+00，0.1028e+00，0.9901e-01，0.9602e-01，0.9369e-01，0.9189e-01，0.9051e-01，0.8948e-01，0.8871e-01。
【００５１】
上記結果より最後の値はＭＭＳＥ法のＭＳＥに近く，ＤＯＣ法のＭＳＥの０．７１倍程度であり従来より演算時間が短縮できることがわかる。
【００５２】
（第２の実施形態）
つぎに，本発明の第２の実施形態にかかるＣＤＭＡ方式における信号復調方法について説明する。あるビット時間の送信信号強度Piに対しタップゲインＣが決まったとき，前のタップゲインからの変化量がある所定の基準を超えた場合のみ，数式１２を解く方法とその結果を具体例を用いて示す。
【００５３】
あるビット時間の送信信号強度Piに対しタップゲインＣが決まったとき，数式１２からわかるように，あるユーザの送信信号強度Piが変わったとき直接影響を受けるのはCdiだけであり，他のタップゲインへの影響は小さい。
【００５４】
上記のことから，数式１２の右辺をBiとした場合，Biを記憶させておけばCdiだけをBi/(Rii+σ2/Pi)と変えたものは，ＭＭＳＥ法の解に近く，ビット情報の決定に用いることができる。この計算は１程度の演算時間しか必要としない。
【００５５】
上記のようにして変えたCdiの全体の変化量がある所定の基準を超えた場合のみ，数式１２の右辺の計算を実行しタップゲインを決めればよい。
【００５６】
上記の計算を実行すればあるユーザの送信信号強度Piが変わったとき，数式１２の右辺の計算を実行する場合より，大幅に演算時間の短縮，すなわち，ビット決定の遅れを短縮することができる。
【００５７】
（ビット決定手順）
まず第１の実施形態の演算を実行して，タップゲイン(Cd)を決定する。その時，Biを記憶し，全体の変化量を記憶する領域Ｅを０とする。その後，あるユーザの送信信号強度Piが変化したとき，CdiだけをBi/(Rii+σ2/Pi)へと変更する。変更前後のCdiの変化量の絶対値をＥに加える。Ｅが基準E0より大きい場合，第１の実施形態の演算を実行し，ビットを決定する。その場合タップゲインCdの初期値として数式１６の値ではなく，第１の実施形態の演算を実行する直前のタップゲインCdを使用する。（Ｓ１００/Ｓ１０１/Ｓ１０２/Ｓ１０３/Ｓ１０４/Ｓ１０５）
【００５８】
（効果）
変化した送信信号強度を上述の対数正規分布に従いランダムに選び，またその送信者もランダムに選び，第１実施形態におけるＥ及び，正確なＭＳＥと，CdiだけをBi/(Rii+σ2/Pi)に変えた場合のＭＳＥの差を計算したところ，Ｅが全タップゲインの絶対値和の５％程度になったとき，ＭＳＥの差が正確なＭＳＥの１０％程度となった。この場合変化した信号強度の回数は１０回程度であった。この程度の変化までは，１程度の演算時間しかかからず，送信信号強度Piが変化したとき，数式１２の右辺の計算を実行する場合より，演算時間の短縮，すなわち，ビット決定の遅れを短縮することができる。
【００５９】
（第３の実施形態）
最後に本発明の第３の実施形態にかかるＣＤＭＡにおける信号復調方法について説明する。マルチステージデテクター，あるいは線形フィルターによる複数ユーザの重なり合った信号から対象ユーザの信号を復調する場合において得られたビット情報bより計算される絶対値abs[y-(C-E)b]あるいは，上記絶対値を信号強度で割った値Aiがある所定の基準より小さい復調対象ユーザに対し，上記復調対象ユーザのビット情報を，ＭＬ法で算出する方法を示す。
【００６０】
上記本発明における第３の実施形態は図２にて複数ユーザ信号から抽出対象ユーザのビット情報を算出するフローチャートを示す。
【００６１】
まず，マルチステージデテクターを用い，数式４を，ｍが数回程度になるまで，繰り返し計算する。その時，数式４の右辺の絶対値abs[y-(C-E)b’(m)]，あるいはその値を各ユーザの信号強度で割った値Aiを，各ユーザに対し記憶する。（Ｓ２００）
【００６２】
次にAiを小さい値順に並べる。その結果をAj,j=P(i)とする。限られた計算装置，あるいは，計算時間から決まるN＜＜K(全ユーザ数)にユーザ数を限り，そのユーザとしてP(i), i=1,..,Nを選ぶ。対するビット情報を{bP(i)}=bP(i)，i=1,..,Nとすると，{bP(i)}を次の式を満たすように，ML法で決める。（Ｓ２０１）
【００６３】
【数４】
2007201832.tif 000006
ここでbp(i)は各ユーザのビット情報を示し，Ｃp(i)は各ユーザの相互相関行列を示し，ｙp(i)は各ユーザのタップゲインを示しbp(i)，j=N+1,..,Ｋの値はマルチステージデテクターで計算した結果を用いる。Ｎは前記Aiがある所定の基準より小さい信号復調対象ユーザ数を示し，Ｋは全ユーザ数を示す。
【００６４】
上記実施例では，絶対値abs[y-(C-E)b’(m)]，あるいは，その値を信号強度で割った値Aiがある所定の基準より大きいユーザのビット情報を，マルチステージデテクターを用いて決めたが，非特許文献２の第７８３ページ，（５）式以下で示されている線形フィルターの結果を用いることもできる。この場合，線形フィルターの結果ｂを用い絶対値abs[y-(C-E)b]を計算し，Aiがある所定の基準より大きいか，小さいかを決める必要がある。
【００６５】
（ビット決定の手順）
まず，マルチステージデテクターを働かせ，絶対値abs[y-(C-E)b’(m)]，あるいは，その値を信号強度で割った値Aiがある所定の基準より大きいユーザのビット情報を用い，数式５を満たすように，ＭＬ法で，Aiがある所定の基準より小さい復調対象ユーザのビット情報を決める。
【００６６】
（効果）
マルチステージデテクターだけでは絶対値abs[y-(C-E)b’(m)]，あるいは，その値を信号強度で割った値Aiがある所定の基準より小さい復調対象ユーザのビット情報を精度良く求めることは出来ない。しかしAiがある所定の基準より小さい復調対象ユーザのビット情報を，数式５を満たすように，マルチステージデテクターの結果に対する数式５のf(b)より，この方法を用いて得られたf(b)は，必ず小さい。ここで，Aiがある所定の基準より小さい復調対象ユーザの数を制限することによって，限られた計算装置，あるいは，計算時間の範囲内でML法を実行することができる。
【００６７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６８】
本発明は，ＣＤＭＡ方式における信号復調装置に適用可能である。
【図面の簡単な説明】
【００６９】
【図１】本発明の第１および第２の実施形態にかかるＣＤＭＡにおける信号復調方法のフローチャートを示す説明図である。
【図２】本発明の第３の実施形態にかかるＣＤＭＡにおける信号復調方法のフローチャートを示す説明図である。
【図１】
2007201832.tif 000008
【図２】
2007201832.tif 000009